【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
被検眼の略同一部位の所定時間間隔で撮像された複数の断層情報を用いて、前記略同一部位のモーションコントラスト情報を生成する情報生成手段と、
近接した位置の複数の前記モーションコントラスト情報のセットにおける深さ範囲を指定する指定手段と、
前記指定された深さ範囲のモーションコントラスト正面画像を生成する画像生成手段と、
所定時間内の複数の前記モーションコントラスト正面画像における前記略同一部位の少なくとも一部のモーションコントラスト値の変化に関する情報を取得する情報取得手段と、
前記モーションコントラスト正面画像と前記被検眼の強度画像とのうち少なくとも１つの画像と、前記変化に関する情報とを表示手段に表示させるとともに、前記変化に関する情報が取得された位置を示す表示を前記少なくとも１つの画像に重ねて前記表示手段に表示させる表示制御手段と、
を有することを特徴とする画像処理装置。
【請求項２】
被検眼の略同一部位の所定時間間隔で撮像された複数の断層情報を用いて、前記略同一部位のモーションコントラスト情報を生成する情報生成手段と、
異なる時間の複数の前記モーションコントラスト情報を用いて、前記略同一部位の少なくとも一部のモーションコントラスト値の変化に関する情報を取得する情報取得手段と、
前記モーションコントラスト情報における深さ範囲の一部の情報を用いて得たモーションコントラスト正面画像と前記被検眼の強度画像とのうち少なくとも１つの画像と、前記変化に関する情報とを表示手段に表示させるとともに、前記変化に関する情報が取得された位置を示す表示を前記少なくとも１つの画像に重ねて前記表示手段に表示させる表示制御手段と、
を有することを特徴とする画像処理装置。
【請求項３】
前記情報取得手段は、異なる時間の複数の前記モーションコントラスト正面画像を用いて、前記変化に関する情報を取得することを特徴とする請求項２に記載の画像処理装置。
【請求項４】
前記モーションコントラスト正面画像を分割した複数の領域で平均処理を行う平均処理手段を更に有することを特徴とする請求項１乃至３のいずれか１項に記載の画像処理装置。
【請求項５】
前記複数の領域は、前記被検眼の乳頭または黄斑を略中心とした複数の同心円、扇形、弧状の少なくとも１つの領域であることを特徴とする請求項４に記載の画像処理装置。
【請求項６】
前記複数の領域は、前記被検眼の乳頭部と黄斑部とを結ぶ直線を一つの分割線として、前記モーションコントラスト正面画像の平面上を分割することにより得られることを特徴とすることを特徴とする請求項４または５に記載の画像処理装置。
【請求項７】
前記被検眼の乳頭周辺の血管のうち血管径の大きい所定本数の血管を指定する血管指定手段を更に有し、
前記平均処理手段は、前記血管指定手段の出力に基づいて、複数の同心円、扇形、弧状の少なくとも１つの領域の中心角方向の分割線を決定することを特徴とする請求項４乃至６のいずれか１項に記載の画像処理装置。
【請求項８】
前記被検眼の乳頭と黄斑との少なくとも１つの位置を設定する設定手段を更に有することを特徴とする請求項１乃至７のいずれか１項に記載の画像処理装置。
【請求項９】
前記複数のモーションコントラスト正面画像の平均画像を生成する平均画像生成手段を更に有することを特徴とする請求項１乃至８のいずれか１項に記載の画像処理装置。
【請求項１０】
前記変化に関する情報は、前記モーションコントラスト値の変化の振幅、周期、位相の少なくとも１つに関する情報であることを特徴とする請求項１乃至９のいずれか１項に記載の画像処理装置。
【請求項１１】
前記表示制御手段は、前記少なくとも１つの画像と前記変化に関する情報とを並べて前記表示手段に表示させることを特徴とする請求項１乃至１０のいずれか１項に記載の画像処理装置。
【請求項１２】
前記表示制御手段は、前記変化に関する情報を色相として前記少なくとも１つの画像に重ねて前記表示手段に表示させることを特徴とする請求項１乃至１１のいずれか１項に記載の画像処理装置。
【請求項１３】
前記表示制御手段は、前記複数のモーションコントラスト正面画像を前記表示手段に連続表示させることを特徴とする請求項１乃至１２のいずれか１項に記載の画像処理装置。
【請求項１４】
前記表示制御手段は、前記モーションコントラスト情報における複数の深さ範囲に対応する複数の前記変化に関する情報を選択的にまたは並べて前記表示手段に表示させることを特徴とする請求項１乃至１３のいずれか１項に記載の画像処理装置。
【請求項１５】
前記表示制御手段は、前記変化に関する情報と異なる日時に取得したモーションコントラスト値の変化に関する情報とを比較した結果を前記表示手段に表示させることを特徴とする請求項１乃至１４のいずれか１項に記載の画像処理装置。
【請求項１６】
被検眼の略同一部位の所定時間間隔で撮像された複数の断層情報を用いて、前記略同一部位のモーションコントラスト情報を生成する工程と、
近接した位置の複数の前記モーションコントラスト情報のセットにおける深さ範囲を指定する工程と、
前記指定された深さ範囲のモーションコントラスト正面画像を生成する工程と、
所定時間内の複数の前記モーションコントラスト正面画像における前記略同一部位の少なくとも一部のモーションコントラスト値の変化に関する情報を取得する工程と、
前記モーションコントラスト正面画像と前記被検眼の強度画像とのうち少なくとも１つの画像と、前記変化に関する情報とを表示手段に表示させるとともに、前記変化に関する情報が取得された位置を示す表示を前記少なくとも１つの画像に重ねて前記表示手段に表示させる工程と、
を有することを特徴とする画像処理方法。
【請求項１７】
被検眼の略同一部位の所定時間間隔で撮像された複数の断層情報を用いて、前記略同一部位のモーションコントラスト情報を生成する工程と、
異なる時間の複数の前記モーションコントラスト情報を用いて、前記略同一部位の少なくとも一部のモーションコントラスト値の変化に関する情報を取得する工程と、
前記モーションコントラスト情報における深さ範囲の一部の情報を用いて得たモーションコントラスト正面画像と前記被検眼の強度画像とのうち少なくとも１つの画像と、前記変化に関する情報とを表示手段に表示させるとともに、前記変化に関する情報が取得された位置を示す表示を前記少なくとも１つの画像に重ねて前記表示手段に表示させる工程と、
を有することを特徴とする画像処理方法。
【請求項１８】
前記表示させる工程において、前記変化に関する情報を色相として前記少なくとも１つの画像に重ねて前記表示手段に表示させることを特徴とする請求項１６または１７に記載の画像処理方法。
【請求項１９】
前記表示させる工程において、前記複数のモーションコントラスト正面画像を前記表示手段に連続表示させることを特徴とする請求項１６乃至１８のいずれか１項に記載の画像処理方法。
【請求項２０】
請求項１６乃至１９のいずれか１項に記載の画像処理方法をコンピュータに実行させるプログラム。
【手続補正２】
【補正対象書類名】明細書
【補正対象項目名】０００６
【補正方法】変更
【補正の内容】
【０００６】
本発明に係る画像処理装置の一つは、
被検眼の略同一部位の所定時間間隔で撮像された複数の断層情報を用いて、前記略同一部位のモーションコントラスト情報を生成する情報生成手段と、
近接した位置の複数の前記モーションコントラスト情報のセットにおける深さ範囲を指定する指定手段と、
前記指定された深さ範囲のモーションコントラスト正面画像を生成する画像生成手段と、
所定時間内の複数の前記モーションコントラスト正面画像における前記略同一部位の少なくとも一部のモーションコントラスト値の変化に関する情報を取得する情報取得手段と、
前記モーションコントラスト正面画像と前記被検眼の強度画像とのうち少なくとも１つの画像と、前記変化に関する情報とを表示手段に表示させるとともに、前記変化に関する情報が取得された位置を示す表示を前記少なくとも１つの画像に重ねて前記表示手段に表示させる表示制御手段と、を有する。